(57)【要約】【課題】  グレイ印刷判定処理系全体の処理時間の低減を図る画像処理方法を提供する。【解決手段】  グレイ印刷判定処理を出力制御装置(例えばプリンタドライバ)１と出力装置(例えばプリンタ)２で処理して行うことで、どのような出力装置や出力制御装置であってもグレイ印刷判定処理３にかかる負荷を最適に分散させることができる。【選択図】        図１
2005086340.tif 000002
【特許請求の範囲】
【請求項１】
赤、緑、青（ＲＧＢ）が等しいデータの場合グレイと判定してそのデータに対して変換を行うグレイ印刷判定処理手段を備えたことを特徴とする出力装置。
【請求項２】
出力装置と出力制御装置にグレイ印刷判定処理の負荷分散を行わせることを特徴とする画像処理方法。
【請求項３】
請求項２記載の画像処理方法において、グレイ印刷判定処理に際し前記ＲＧＢグレイのデータはＫ１色に置き換えることを特徴とする画像処理方法。
【請求項４】
請求項２記載の画像処理方法において、グレイ印刷判定処理に際し前記ＲＧＢグレイのデータはＣＭＹＫ４色に置き換えることを特徴とする画像処理方法。
【請求項５】
請求項２記載の画像処理方法において、グレイ印刷判定処理に際し前記ＲＧＢグレイのデータでＲ＝Ｇ＝Ｂ＝０（純黒）となるデータはＫ１色に置き換えることを特徴とする画像処理方法。
【請求項６】
請求項２記載の画像処理方法において、グレイ印刷判定処理に際しＲＧＢグレイのデータをＫ１色に置き換えるとき対象データの属性条件を追加することを特徴とする画像処理方法。
【発明の詳細な説明】
【技術分野】
【０００１】
本発明は画像処理方法に関し、特にグレイ印刷判定処理の負荷分散技術に関するものである。ここでグレイ印刷判定処理とはＲＧＢグレイ（Ｒ＝Ｇ＝Ｂ）のデータに対して変換を行う際の判定処理に関するものである。
【背景技術】
【０００２】
グレイ印刷判定処理に関連して、特開２００１−０２４８９９公報には、黒ベタ部以外の３色あるいは４色印刷領域との境界で色彩・彩度・明度のギャップが生じ、ＢＧ／ＵＣＲ量の増加に伴い、ＣＭＹ濃度とＫ濃度のバランスが崩れてくる問題を解決し、前記ギャップを回避して、文字、写真どちらかの品質を最適とする技術について開示されている。
また特開２００２−０４４４７９公報には、同じ様式の黒生成アルゴリズムを使用することにより、ＣＭＹＫ供給元カラーデータと宛先カラーデータの黒色及びグレイの色味の一致度を向上させる技術について開示されている。
また特開２００１−０８８３７１公報には、文字部、線画部、及び写真部からなる文書データを印刷する際、写真部の階調性が低下したり文字部や線画部のシャープさが損なわれたりしないようにする技術について開示されている。
【特許文献１】特開２００１−０２４８９９公報
【特許文献２】特開２００２−０４４４７９公報
【特許文献３】特開２００１−０８８３７１公報
【発明の開示】
【発明が解決しようとする課題】
【０００３】
従来では、グレイ印刷判定処理は出力制御装置で行われる場合が多く、特にイメージデータなどの大きなデータをグレイ印刷判定処理する際は、一画素毎の判定が必要となり出力制御装置の処理能力に依存するため、処理能力が低い場合には処理時間を多く必要としていた。
本発明は、グレイ印刷判定処理系全体の処理時間の低減を図ることを目的とする。
【課題を解決するための手段】
【０００４】
上記目的を達成するために、請求項１記載の発明は、赤、緑、青（ＲＧＢ）が等しいデータの場合グレイと判定してそのデータに対して変換を行うグレイ印刷判定処理手段を備えたことを特徴とする。
請求項２記載の発明は、出力装置と出力制御装置にグレイ印刷判定処理の負荷分散を行わせる画像処理方法を最も主要な特徴とする。
請求項３記載の発明は、請求項２記載の画像処理方法において、グレイ印刷判定処理に際しＲＧＢグレイのデータはＫ１色に置き換える画像処理方法を主要な特徴とする。
請求項４記載の発明は、請求項２記載の画像処理方法において、グレイ印刷判定処理に際しＲＧＢグレイのデータはＣＭＹＫ４色に置き換える画像処理方法を主要な特徴とする。
請求項５記載の発明は、請求項２記載の画像処理方法において、グレイ印刷判定処理に際しＲＧＢグレイのデータでＲ＝Ｇ＝Ｂ＝０（純黒）となるデータはＫ１色に置き換える画像処理方法を主要な特徴とする。
請求項６記載の発明は、請求項２記載の画像処理方法において、グレイ印刷判定処理に際しＲＧＢグレイのデータをＫ１色に置き換えるとき対象データの属性条件を追加する画像処理方法を主要な特徴とする。
【発明の効果】
【０００５】
本発明によれば、グレイ印刷判定処理の負荷分散を行い処理系全体の処理時間の低減を図ることができる。
【発明を実施するための最良の形態】
【０００６】
以下、本発明の実施の形態を図面に従って説明する。
図１はグレイ印刷判定処理を出力制御装置と出力装置で行う様子を示すブロック図である。グレイ印刷判定処理を出力制御装置（例えばプリンタドライバ）１と出力装置（例えばプリンタ）２で処理して行うことで、どのような出力装置や出力制御装置であってもグレイ印刷判定処理３にかかる負荷を最適に分散させることができる。
図２はグレイ印刷判定処理としてＲＧＢグレイデータはＫ１色に置き換える様子を示すフロー図である。ＲＧＢ→ＣＭＹＫ変換を行う際にグレイデータをＣＭＹＫ４色に変換するのではなく、ＲＧＢグレイはＫ１色に変換するため、トナーなどの色材の使用量を節約できる。また、ページ全面がＲＧＢグレイの場合は白黒描画と同等となるための全体のスループットが向上する（Ｓ１〜Ｓ５）。
図３はグレイ印刷判定処理としてＲＧＢグレイデータはＣＭＹＫ４色に置き換える様子を示すフロー図である。ＲＧＢ→ＣＭＹＫ変換を行う際にＲＧＢグレイデータをＣＭＹＫ４色に変換するため、階調性が必要なイメージデータなどの色味の階調性を損なわずに印刷できる（Ｓ１〜Ｓ３）。
図４はグレイ印刷判定処理としてＲ＝Ｇ＝Ｂ＝０のＲＧＢグレイデータ（純黒）はＫ１色に置き換える様子を示すフロー図である。ＲＧＢ→ＣＭＹＫ変換を行う際に純黒をＣＭＹＫ４色に変換するのではなく、Ｋ１色に変換するため、純黒データが使用される文字などをＫ１色で印刷できる（Ｓ１〜Ｓ５）。
図５はグレイ印刷判定処理としてＲＧＢグレイデータはＫ１色に置き換える際にカラーイメージ属性の条件を追加する様子を示すフロー図である。ＲＧＢ→ＣＭＹＫ変換を行う際にすべてのＲＧＢグレイデータをＣＭＹＫ４色に変換するのではなく、Ｋ１色に変換する際にカラーイメージ属性を条件とするため、カラーイメージにおいて階調性などを損なわず、かつ、文字などはＫ１色で印刷できる（Ｓ１〜Ｓ６）。
【図面の簡単な説明】
【０００７】
【図１】グレイ印刷判定処理を出力制御装置と出力装置で行う様子を示すブロック図。
【図２】グレイ印刷判定処理としてＲＧＢグレイデータはＫ１色に置き換える様子を示すフロー図。
【図３】グレイ印刷判定処理としてＲＧＢグレイデータはＣＭＹＫ４色に置き換える様子を示すフロー図。
【図４】グレイ印刷判定処理としてＲ＝Ｇ＝Ｂ＝０のＲＧＢグレイデータ（純黒）はＫ１色に置き換える様子を示すフロー図。
【図５】グレイ印刷判定処理としてＲＧＢグレイデータはＫ１色に置き換える際にカラーイメージ属性の条件を追加する様子を示すフロー図。
【符号の説明】
【０００８】
１  出力制御装置
２  出力装置
【図１】
2005086340.tif 000003
【図２】
2005086340.tif 000004
【図３】
2005086340.tif 000005
【図４】
2005086340.tif 000006
【図５】
2005086340.tif 000007